(57)【要約】【課題】花粉症の原因となる花粉アレルゲンの低減化対策を建物全体として複合的に講じることで、建物内における花粉アレルゲンを効果的に低減することができる花粉配慮建物を提供する。【解決手段】この花粉配慮建物は、例えば屋外において建物１内に入る人の着衣に付着した花粉を吹き飛ばしたり、建物１内を正圧に保ったり、換気に際して建物１内へ取り入れる外気中の花粉を分離除去することで、建物１内への花粉の侵入を防止するとともに、建物１内への侵入を阻止しきれなかった花粉を、例えば建物内へ放散する帯電した水分子や、床面に塗布又は含浸させた不活化剤によって不活化している。【選択図】図１
2007284985.tif 000002
【特許請求の範囲】
【請求項１】
建物（１）内への花粉の侵入を防止する花粉侵入防止システムと、建物（１）内に侵入した花粉を不活化させる花粉不活化システムとを併用してなることを特徴とする花粉配慮建物。
【請求項２】
前記花粉侵入防止システムは、玄関等の出入口（３１）付近に設けた空気吹き出し口（２０）（２１）から圧縮空気を吹き出させて、屋外において建物（１）内に入る人（２）の着衣に付着した花粉を吹き飛ばす手段（１０）を備えている請求項１記載の花粉配慮建物。
【請求項３】
前記花粉侵入防止システムは、屋外に開放した給気口（４０）から建物（１）内に外気を強制的に取り入れて、建物（１）内を正圧に保つ手段（１１）を備えている請求項１又は２記載の花粉配慮建物。
【請求項４】
前記花粉侵入防止システムは、屋外に開放した給気口（４０）から建物（１）内に取り入れる外気をサイクロン分離器（６０）に導いて、そのサイクロン分離器（６０）において遠心力を利用して外気中に含まれる花粉を分離除去する手段（１２）を備えている請求項１乃至３のいずれかに記載の花粉配慮建物。
【請求項５】
前記花粉不活化システムは、屋外に開放した給気口（４０）から建物（１）内へ取り入れる外気をイオン発生器（７３）に導いて、そのイオン発生器（７３）において放出した帯電した水分子を前記外気に含ませて建物（１）内へ拡散させる手段（７２）を備えている請求項１乃至４のいずれかに記載の花粉配慮建物。
【請求項６】
前記花粉不活化システムは、建物（１）内の床面や壁面等の内装面に、花粉を不活化する不活化剤（８０）を塗布又は含浸させて、前記内装面に付着した花粉を不活化させる手段（８２）を備えている請求項１乃至５のいずれかに記載の花粉配慮建物。
【発明の詳細な説明】
【技術分野】
【０００１】
この発明は、花粉症の原因となる花粉アレルゲンの低減化を図るようにした花粉配慮建物に関する。
【背景技術】
【０００２】
近年、５人に１人が花粉症であると言われているように、花粉症患者が増加しており、住宅等の建物においても、花粉症の原因となる花粉アレルゲンを低減化するための各種対策が講じられている。
【０００３】
例えば、住宅内に空気清浄機を設置して、室内空気に含まれる花粉を除去したり(例えば、特許文献１参照)、室内空気の換気に際して、給気通路に花粉除去フィルタを設けて、花粉を除去した外気を室内に取り入れるといった対策が採られている(例えば、特許文献２参照)。
【０００４】
【特許文献１】特開２０００−５５３１号公報
【特許文献２】特開平１１−２４４５号公報
【発明の開示】
【発明が解決しようとする課題】
【０００５】
しかしながら、屋外の花粉は、例えば帰宅した居住者の衣類に付着して住宅内に持ち込まれたり、屋外に干した洗濯物や布団に付着して住宅内に持ち込まれたり、住宅の隙間から住宅内に入り込んだり、ドアや窓を開放しての通風によって住宅内に入り込むといったように、様々な状況によって住宅内に侵入する。また、その侵入した花粉は、室内空気中を浮遊するだけでなく、数十秒で落下して床面等に溜まる。
【０００６】
従って、単に空気清浄機によって室内空気に含まれる花粉を除去したり、室内空気の換気時に花粉除去フィルタによって花粉を除去するといった単発的な対策では、住宅内における花粉アレルゲンを十分に低減化することはできず、住宅全体を考慮した複合的な対策が望まれている。
【０００７】
そこで、この発明は、上記不具合を解決するため、花粉症の原因となる花粉アレルゲンの低減化対策を建物全体として複合的に講じることで、建物内における花粉アレルゲンを効果的に低減することができる花粉配慮建物の提供を目的とする。
【課題を解決するための手段】
【０００８】
上記課題を解決するため、この発明の花粉配慮建物は、建物１内への花粉の侵入を防止する花粉侵入防止システムと、建物１内に侵入した花粉を不活化させる花粉不活化システムとを併用してなることを特徴とする。
【０００９】
具体的に、前記花粉侵入防止システムは、玄関等の出入口３１付近に設けた空気吹き出し口２０、２１から圧縮空気を吹き出させて、屋外において建物１内に入る人２の着衣に付着した花粉を吹き飛ばす手段１０を備えている。
【００１０】
また、前記花粉侵入防止システムは、屋外に開放した給気口４０から建物１内に外気を強制的に取り入れて、建物１内を正圧に保つ手段１１を備えている。
【００１１】
さらに、前記花粉侵入防止システムは、屋外に開放した給気口４０から建物１内に取り入れる外気をサイクロン分離器６０に導いて、そのサイクロン分離器６０において遠心力を利用して外気中に含まれる花粉を分離除去する手段１２を備えている。
【００１２】
また、前記花粉不活化システムは、屋外に開放した給気口４０から建物１内へ取り入れる外気をイオン発生器７３に導いて、そのイオン発生器７３において放出した帯電した水分子を前記外気に含ませて建物１内へ拡散させる手段７２を備えている。
【００１３】
さらに、前記花粉不活化システムは、建物１内の床面や壁面等の内装面に、花粉を不活化する不活化剤８０を塗布又は含浸させて、前記内装面に付着した花粉を不活化させる手段８２を備えている。
【発明の効果】
【００１４】
この発明によると、例えば屋外において建物内に入る人の着衣に付着した花粉を吹き飛ばしたり、建物内を正圧に保ったり、換気に際して建物内へ取り入れる外気中の花粉を分離除去することで、建物内への花粉の侵入を防止するとともに、建物内への侵入を阻止しきれなかった花粉を、例えば建物内へ放散する帯電した水分子や、床面等に塗布又は含浸させた不活化剤によって不活化している。
【００１５】
このように、花粉症の原因となる花粉アレルゲンの低減化対策を複合的に講じることで、花粉アレルゲンを建物全体として効果的に低減することができ、花粉症の発症を抑え、また花粉症に悩まされ難い建物を提供することができる。
【発明を実施するための最良の形態】
【００１６】
以下、この発明の実施形態を図面に基づいて詳細に説明する。この発明の一実施形態に係る花粉配慮建物は、例えば戸建て住宅であって、住宅１内への花粉の侵入を防止する花粉侵入防止システムと、住宅１内に侵入した花粉を不活化させる花粉不活化システムとが併用されている。すなわち、花粉侵入防止システムによって住宅１内への侵入を阻止しきれなかった花粉を、花粉不活化システムによって不活化させることで、住宅１内における花粉アレルゲンを効果的に低減するようになっている。
【００１７】
花粉侵入防止システムは、図１に示すように、住宅１内への居住者や訪問者等の人２の出入りに伴う花粉の侵入を防止する第１の手段１０と、住宅１の壁や窓等における隙間からの花粉の侵入を防止する第２の手段１１と、室内空気の換気における住宅１内への外気の取り入れに伴う花粉の侵入を防止する第３の手段１２とを複合的に併用することによって構成されている。
【００１８】
第１の手段１０は、図２に示すように、例えば花粉や虫を除去するためのフィルタ１５付きブロア１６、断熱ダクト１７、チャンバー１８、化粧カバー１９等から構成されている。
【００１９】
ブロア１６は、例えば住宅１の玄関先における軒天井裏に配設されており、軒天井に開口した吸い込み口よりフィルタ１５を介して外気を吸い込んで、その外気を断熱ダクト１７へ送り込むものである。断熱ダクト１７は、例えば扁平した略角筒状に形成されており、ブロア１６とチャンバー１８とを繋ぐようにして、玄関先における軒天井裏に略水平に配設されている。
【００２０】
チャンバー１８は、例えば扁平した略角筒状に形成されており、玄関先における壁体内に略垂直に配設されている。このチャンバー１８の上端部は略直角に折曲して断熱ダクト１７に接続されている。また、チャンバー１８の玄関先に臨む垂直面１８ａには、縦方向に沿って複数のスリット状の吹き出し口２０・・が形成され、これら吹き出し口２０・・の上方には、吹き出し方向を調節可能としたパンカールーバー２１が設けられている。
【００２１】
化粧カバー１９は、チャンバー１８の垂直面１８ａに被さる被覆板２５と、この被覆板２５に取り付けられた装飾板２６とを備えている。被覆板２５には、チャンバー１８の吹き出し口２０・・及びパンカールーバー２１に対応したスリット２７・・及び円孔２８が形成されており、吹き出し口２０・・及びパンカールーバー２１から吹き出す外気を遮らないようにしている。また、被覆板２５の上下方向略中央部には、ブロア１６のオンオフ用のスイッチ２９が設けられている。装飾板２６は、図３及び図４に示すように、被覆板２５を露出させる状態と被覆板２５を覆い隠す状態との間で開閉可能とされている。また、被覆板２５の上部には、パンカールーバー２１との干渉を避ける凸部２２が形成され、上下方向略中央部には、被覆板２５を開閉するための取手３０が形成されている。
【００２２】
上記の第１の手段１０において、住宅１における玄関先の出入口３１手前に到着した居住者や訪問者等の人２が、化粧カバー１９の装飾板２６を開放し、スイッチ２９を操作してブロア１６を作動させると、フィルター１５を通ることで花粉や虫等が除去された外気がブロア１６に吸い込まれる。この外気は、断熱ダクト１７を介してチャンバー１８へ圧送され、出入口３１付近に配されているチャンバー１８の吹き出し口２０・・及びパンカールーバー２１から圧縮空気となって吹き出す。この吹き出した圧縮空気は、屋外において出入口３１手前の人２に対して吹き付けられ、これによって人２の着衣に付着した花粉を吹き飛ばすことができる。このとき、パンカールーバー２１の方向を適宜調節することで、圧縮空気を任意の箇所に集中して吹き付けることができ、手の届き難い肩や背中に付着した花粉を効率良く吹き飛ばすことができる。また、上方からの気流を作り出すことで、叩く際に舞う花粉を吸い込むおそれが低くなる。花粉除去作業を終えた人２は、スイッチ２９を操作してブロア１６の作動を停止させ、化粧カバー１９の装飾板２６を閉じて、出入口３１から住宅１内に入ることになる。
【００２３】
このように、第１の手段１０では、玄関等の出入口３１付近に設けた空気吹き出し口２０、２１から圧縮空気を吹き出させて、屋外において住宅１内に入る人２に付着した花粉を吹き飛ばすことで、住宅１内への人２の出入りに伴う花粉の侵入を防止するようになっている。
【００２４】
第２の手段１１は、図１及び図５に示すように、屋外に開放する給気口４０と住宅１内に開放する吹出口４１とを繋ぐ給気通路４２、この給気通路４２に設けた給気用ファン４３、屋外に開放する排気口４４と住宅１内に開放する吸込口４５とを繋ぐ排気通路４６、この排気通路４６に設けた排気用ファン４７、給気用ファン４３及び排気用ファン４７の駆動を制御する制御部４８等から構成されている。
【００２５】
屋外に開放する給気口４０及び排気口４４は、住宅１の外壁に形成されており、これら給気口４０及び排気口４４は、カバー材５０によって覆われている。また、住宅１内に開放する吹出口４１は、例えば室内の天井に形成されている。さらに、住宅１内に開放する吸込口４５は、例えば室内の内壁下部に形成されており、その吸込口４５に設けたフィルタ等の清掃が容易になっている。給気用ファン４３及び排気用ファン４７は、住宅１の壁体内に設けた収容ボックス５１内に収容されており、この収容ボックス５１は住宅１内において室内側から開放可能となっていて、給気用ファン４３及び排気用ファン４７のメンテナンスが容易になっている。
【００２６】
そして、制御部４８は、花粉センサ５２や温度センサ５３からの検知信号により花粉飛散時期及び冬期を判断して、花粉飛散時期を含む冬期以外の時期においては、図６に示すように、給気量(例えば換気回数０．５回／ｈ)が排気量(例えば、換気回数０．３回／ｈ)よりも多くなるように給気用ファン４３及び排気用ファン４７を制御することで、住宅１内を正圧に保つようにしている。なお、給気量と排気量の差の例えば換気回数０．２回／ｈ分は、住宅の隙間から徐々に自然排気される。また、冬期においては、図７に示すように、給気量(例えば、換気回数０．３回／ｈ)が排気量(例えば換気回数０．５回／ｈ)より少なくなるように給気用ファン４３及び排気用ファン４７の駆動を制御し、且つ、排気通路４６の排気の一部(例えば換気回数０．２回／ｈ)をバイパス通路５４を介して給気通路４２へ合流させて戻すことで、結果的に給排気量が略同じになるようにしている。また、給気通路４２における風量を検知する風量センサ５５からの検知信号によって、給気用ファン４３及び排気用ファン４７を制御することで、必要換気量を安定して確保している。なお、上記においては、制御部４８によって花粉飛散時期及び冬期を判断して、自動的に給気用ファン４３及び排気用ファン４７の駆動を制御して換気を行うようになっているが、居住者が花粉飛散時期及び冬期を判断して、換気スイッチのオンオフ操作によって給気用ファン４３及び排気用ファン４７を駆動させて換気を行うようにしても良い。
【００２７】
このように、第２の手段１１では、花粉飛散時期を含む冬期以外の時期において、屋外に開放した給気口４０から住宅１内に外気を強制的に取り入れて、住宅１内を正圧に保つことで、必要な換気量を確保しながら、住宅１の壁や窓等における隙間からの花粉の侵入を防止するようになっている。また、冬期においては、暖かい住宅１内の空気を循環させて住宅１内に取り入れる冷たい外気と混合させることで、必要な換気量を確保しながら、住宅１内の快適性を向上させるとともに、住宅１内が正圧にならないようにして、壁体内への湿気の侵入による結露を防止するようになっている。
【００２８】
第３の手段１２は、図１に示すように、屋外に開放する給気口４０と住宅１内に開放する吹出口４１とを繋ぐ前記の給気通路４２、この給気通路４２に設けた前記の給気用ファン４３、及び前記の給気通路４２に設けた接線流入式のサイクロン分離器６０等から構成されている。
【００２９】
サイクロン分離器６０は、住宅１の壁体内に設けられており、図８及び図９に示すように、上面が閉塞されて略下半分が下方へ向けて先細り状に形成された略円筒状の分離器本体６１と、この分離器本体６１の下端開口に取り付けられた略短円筒状の捕集ボックス６２と、この捕集ボックス６２と住宅１の内壁６３に形成した掃除機ホースの差し込み口６４とを繋ぐ排出ホース６５とを備えている。
【００３０】
そして、分離器本体６１の上面及び上端部側面には、給気通路４２を構成する通気管６６、６７が接続されている。分離器本体６１の上面を上下方向に貫通する一方の通気管６６は、前記の給気用ファン４３に接続され、また分離器本体６１の上端部側面にその接線方向に沿って接続された他方の通気管６７は、住宅１の外壁６８に形成した前記の給気口４０に接続されている。また、内壁６３に形成した掃除機ホースの差し込み口６４には、開閉可能な蓋体６９が取り付けられ、捕集した花粉が差し込み口６４から住宅１内へ飛散するのを防止している。
【００３１】
上記の第３の手段１２において、給気用ファン４３を駆動させると、外気が給気口４０から通気管６７を介してサイクロン分離器６０の分離器本体６１内へ接線方向に流入して、旋回しながら流下する。この旋回運動に伴う遠心力によって外気中に含まれる花粉が分離されて、分離された花粉は分離器本体６１の内壁面に沿って落下して捕集ボックス６２内や排出ホース６５内に回収される。そして、花粉が除去された外気は、通気管６６を介して前記の吹出口４１から住宅１内へ供給されるようになっている。捕集ボックス６２内や排出ホース６５内に回収された花粉は、給気用ファン４３の停止時に、ホースを差し込み口６４に差し込んだ掃除機によって吸引することができ、手入れが簡単となっている。
【００３２】
このように、第３の手段１２では、屋外に開放した給気口４０から住宅１内に取り入れる外気をサイクロン分離器６０に導いて、そのサイクロン分離器６０において遠心力を利用して外気中に含まれる花粉を分離除去することで、室内空気の換気における住宅１内への外気の取り入れに伴う花粉の侵入を防止するようになっている。なお、この第３の手段１２おいて、サイクロン分離器６０としては、上記のような接線流入式のものだけに限らず、例えば軸流直進式のものを用いるようにしても良い。
【００３３】
花粉不活化システムは、図１０に示すように、室内空気の換気に伴う気流に乗せて花粉不活化イオン７０を住宅１内へ拡散させることで、住宅１内の花粉を不活化する第４の手段７２と、花粉不活化剤８０を住宅１内の床面に直接塗布することで、住宅１内の花粉を不活化させる第５の手段８２とを複合的に併用することによって構成されている。なお、図１０において、Ｋは花粉を示している。
【００３４】
第４の手段７２は、図１に示すように、屋外に開放する給気口４０と住宅１内に開放する吹出口４１とを繋ぐ前記の給気通路４２、この給気通路４２に設けた前記の給気用ファン４３、及び前記の吹出口４１に設けたイオン発生器７３等から構成されている。
【００３５】
イオン発生器７３は、帯電した水分子である花粉不活化イオン７０を放出するものである。
【００３６】
上記の第４の手段７２において、給気用ファン４３及びイオン発生器７３を駆動させると、外気が給気通路４２を通ってイオン発生器７３に導かれて、そのイオン発生器７３において放出した花粉不活化イオン７０が外気に混ざり込む。そして、この花粉不活化イオン７０を含んだ外気が、吹出口４１から住宅１内へ拡散するようになっている。これにより、住宅１内において浮遊若しくは落下している花粉Ｋまで花粉不活化イオン７０が届いて、花粉Ｋのアレルゲンを不活化する。
【００３７】
第５の手段８２で用いる花粉不活化剤８０は、花粉Ｋのアレルゲンタンパク質の分子構造を緩める尿素と、アレルゲンタンパク質を低分子化する酵素とを有しており、ワックス等に配合されて住宅１内の床面に塗布されている。このように、花粉不活化剤８０をワックスに配合させることで、花粉不活化剤８０がワックスのポリマーに定着して、安定的に効果を発揮させることができる。また、ワックスの塗り替え毎に、花粉不活化剤８０を床面に塗布することができ、定期的なメンテナンスが可能となる。
【００３８】
上記のような第４の手段７２及び第５の手段８２を併用させて、花粉不活化イオン７０を住宅１の空間に拡散させるとともに、花粉不活化剤８０を床面に直接塗布することで、空間と床面の双方から住宅１内の花粉Ｋを確実に不活化することができる。特に、花粉Ｋは床面に落下して溜まり易いが、このような床面に落下した花粉Ｋを効果的に不活化することができる。また、花粉不活化イオン７０を住宅１の空間に拡散させることで、床面に落下した花粉Ｋだけでなく、カーテンや寝具、ソファ等に付着した花粉Ｋも不活化することができる。なお、第５の手段８２において、花粉不活化剤８０を床面に塗布するだけに限らず、壁面等のその他の内装面に塗布するようにしても良い。また、花粉不活化剤８０を塗布するだけでなく、内装面に含浸させるようにしても良い。
【００３９】
この発明は、上記実施形態に限定されるものではなく、この発明の範囲内で上記実施形態に多くの修正及び変更を加え得ることは勿論である。例えば、この発明の花粉配慮建物は、戸建て住宅だけに限定されるものでなく、例えばマンションや病院等であっても良い。また、花粉侵入防止システムにおいて、第１〜第３の手段１０、１１、１２の全ての手段を必ずしも備える必要はなく、また花粉不活化システムにおいても、第４及び第５の手段７２、８２の双方を必ずしも備える必要はない。さらに、この発明の花粉配慮建物においては、花粉アレルゲンだけでなく、ダニアレルゲン等の低減にも有効である。
【図面の簡単な説明】
【００４０】
【図１】この発明の一実施形態に係る花粉配慮建物におけるシステム構成を示す斜視図である。
【図２】第１の手段の構成を示す分解斜視図である。
【図３】化粧カバーを開いた状態を示す斜視図である。
【図４】化粧カバーを閉じた状態を示す斜視図である。
【図５】第２の手段におけるブロック図である。
【図６】第２の手段における花粉飛散時期の換気状態を示す図である。
【図７】冬期の換気状態を示す図である。
【図８】第３の手段におけるサイクロン分離器の縦断面図である。
【図９】同じくその平面図である。
【図１０】第４及び第５の手段の構成を示す図である。
【符号の説明】
【００４１】
１・・建物、２・・人、１０・・第１の手段、１１・・第２の手段、１２・・第３の手段、２０、２１・・空気吹き出し口、３１・・出入口、４０・・給気口、６０・・サイクロン分離器、７０・・花粉不活化イオン、７２・・第４の手段、７３・・イオン発生器、８０・・不活化剤、８２・・第５の手段
【図１】
2007284985.tif 000003
【図２】
2007284985.tif 000004
【図３】
2007284985.tif 000005
【図４】
2007284985.tif 000006
【図５】
2007284985.tif 000007
【図６】
2007284985.tif 000008
【図７】
2007284985.tif 000009
【図８】
2007284985.tif 000010
【図９】
2007284985.tif 000011
【図１０】
2007284985.tif 000012